(57)【要約】【課題】グリップの下方の直径を大きくして、力をかけずに下部を握った手の親指及び人差し指でグリップの下方を堅固に握ることができるようにすると共に、グリップの全体的な重量を増加させないようにして、ヘッドの重量感が感じられるようにし、更に、シャフトの上端と直径が太くなっているグリップの下方の結合が容易になるようにしたゴルフクラブ用グリップを提供すること。【解決手段】グリップの上端から中間部位まで直径が減少する中狭部と、前記中狭部の以下から下方に次第に直径が増加する厚肉部と、が形成されたゴルフクラブ用グリップにおいて、前記グリップの下端部に切欠部が形成され、シャフトの上端への挿入のための下狭部が備えられる。【選択図】図１
2016209537.tif 000002
【特許請求の範囲】
【請求項１】
グリップの上端から中間部位まで直径が減少する中狭部と、前記中狭部の以下から下方に次第に直径が増加する厚肉部と、が形成されたゴルフクラブ用グリップにおいて、
前記グリップの下端部に切欠部が形成され、シャフトの上端への挿入のための下狭部が備えられる
ことを特徴とするゴルフクラブ用グリップ。
【請求項２】
前記グリップの中狭部に上側線と下側線を置き、上部を握った手の親指の底面の中心が選択的に位置する
請求項１に記載のゴルフクラブ用グリップ。
【請求項３】
前記グリップの下方を握るようになる下部を握った手の親指と人差し指の位置のみを除き、残りの厚肉部を切開した切欠部が斜線状に形成される
請求項１または２に記載のゴルフクラブ用グリップ。
【請求項４】
前記切欠部が斜線状になって、上端で合致線を成す
請求項１ないし３のいずれかに記載のゴルフクラブ用グリップ。
【発明の詳細な説明】
【技術分野】
【０００１】
本発明は、ゴルフクラブ用グリップに関し、特に、スウィングを行う際にゴルフクラブグリップの下方と、下部を握った手の親指と人差し指との間の密着力を向上させることを可能にしたゴルフクラブ用グリップに関する。
【背景技術】
【０００２】
図１及び図２には一般的なゴルフクラブの構成を示している。
これらの図面に示すように、一般的なゴルフクラブ１は、シャフト３の下端にゴルフボールを打撃するためのヘッド２が備えられ、シャフト３の上部にプレーヤーがクラブを握るためのグリップ４で構成されるところ、ここで前記グリップ４は、グリップの上部４ａからグリップの下部４ｂに行くほど直径が次第に減少される形態を有している。このように、グリップ４が上部から下部に行くほど次第に狭くなる下狭状態であるので、親指及び人差し指でグリップ４の下方を堅固に握ることが容易ではなく、その結果、トップからダウンスウィングまでの動作過程において、グリップの下方との流動が発生され、インパクトの瞬間にヘッド２とボールがスクエアに接しなくなって、ボールの方向性が不正確になり、インパクトの伝達に損失が生じてしまう問題が発生する。
【０００３】
このような問題を解決するために、特許文献１が提案されており、これはシャフトの下端にゴルフボールを打撃するためのヘッドが備えられ、シャフトの上部にグリップ（ＧＲＩＰ）が形成されたゴルフクラブにおいて、前記グリップ１４がグリップ１４の上部からグリップ１４の下部に行くほど直径が次第に拡大される形態となり、グリップ１４の最上端にはグリップ１４の上部の外径のサイズより拡大されて突き出た拡径部１４ｃが備えられている。
【０００４】
さらに、特許文献２が提案されており、引用発明２は、ゴルフクラブ用グリップの後方から前方にその直径を縮小して凹部１３０を形成し、再び拡大させて凸部１４０を形成して、手でグリップを握る場合、右手の親指及び人差し指に少ない力をかけても安定的に支持されるようになって、指と手首などの疲労感を最小化すると共に、スウィングを可能にするメリットがある。
【０００５】
このような特許文献１及び２では、力を別にかけずにグリップを握ってもクラブの歪みが発生せず、スウィングのサイズに応じて適切なコッキングが期待されている。
【０００６】
しかし、特許文献１及び２では、下方に行くほど直径が増加される形態に製作されているので、グリップの下方と、親指と人差し指との間が密着する効果が得られるが、下方に行くほど直径が増加して、実際に握らない下端部が全体的に厚くなり、この部分で重量が増加して、グリップの重さが過重になることを避けることができなくなり、これはグリップの重さを大きく増加させ、スウィングを行う際にヘッドの重量感を感じることが難しくなるような致命的な結果となる問題が発生した。
【０００７】
また、グリップの下方に厚肉部が形成され、この部分によってシャフトの上端を嵌め込んで結合する組み立ての工程において、厚肉部が容易に膨張されないため、シャフトの上端の進入を難しくし、組み立ての工程を実施することが非常に難しくなるという問題が発生した。
【先行技術文献】
【特許文献】
【０００８】
【特許文献１】韓国登録実用新案第１０−０４１２０８６（考案の名称：ゴルフクラブ用グリップ）
【特許文献２】韓国登録特許第１０−０９０７３０２（発明の名称：ゴルフクラブ用グリップ）
【発明の概要】
【発明が解決しようとする課題】
【０００９】
そこで、本発明は、このような問題点を考慮して、グリップの下方の直径を大きくして、力をかけずに下部を握った手の親指及び人差し指でグリップの下方を堅固に握ることができるようにすると共に、グリップの全体的な重量を増加させないようにして、ヘッドの重量感が感じられるようにすると共に、シャフトの上端と直径が太くなっているグリップの下方の結合が容易になるようにしたゴルフクラブ用グリップを提供することを課題とする。
【課題を解決するための手段】
【００１０】
この課題を達成するために、本発明は、ゴルフクラブ用グリップの下方の直径は太くし、グリップの下方の先端部において、下部を握った手の親指と人差し指の把持部を除いた残りの部分を切開した切欠部を構成し、前記切欠部によって除去されてその直径が縮小された下狭部を備えることでグリップの重量を最適化し、シャフトの上端をグリップの下狭部を用いて容易に挿入及び結合できるようにしたゴルフクラブ用グリップを提供する。
【発明の効果】
【００１１】
このように、本発明は、ゴルフクラブ用グリップの下方の直径が十分に太くなっているので、力をかけなくても親指と人差し指によって安定した状態で把持できるものであり、特に、ゴルフクラブ用グリップの下方において、下部を握った手の親指と人差し指が当接する部分を除き、残りの部分を除去した切欠部によってグリップの全体的な重量を大きく減らし、下狭状態となった一般のグリップと対等なレベルになるようにすることで、ヘッドの重量感を一般的なゴルフクラブと同様に感じられるようにすると共に、下狭部の全体的な厚さを薄くすることができるので、シャフトの上端が容易に挿入可能になって組み立てが容易になるので、生産性が低下する恐れがないという有用な効果がある。
【図面の簡単な説明】
【００１２】
【図１】一般的なゴルフクラブ及びグリップを示している説明図
【図２】下方の直径が太い従来のゴルフクラブ用グリップを示している側面図
【図３】中間が細くて、上下が太い形態である従来のゴルフクラブ用グリップを示している斜視図
【図４】本発明に係る基本的な形態のゴルフクラブ用グリップを示している斜視図
【図５】本発明に係る基本的な形態のゴルフクラブ用グリップの正面図
【図６】本発明の他の実施例に係るゴルフクラブ用グリップの斜視図
【図７】本発明に係る他の実施例に係るゴルフクラブ用グリップの正面図
【図８】本発明に係る他の実施例に係るゴルフクラブ用グリップの側面図
【図９】本発明に係る他の実施例に係るゴルフクラブ用グリップの背面図
【図１０】本発明に係る他の実施例に係るゴルフクラブ用グリップの組み立ての状態を示している縦断面図
【発明を実施するための形態】
【００１３】
本発明の実施形態について、添付図面を参照しながら詳しく説明する。
【００１４】
図４及び図５に本発明の基本的な実施例の斜視図及び正面図を示している。
これらの図面に示すように、本発明は、グリップ１００の上端から中間部位まで直径が減少する中狭部２００を構成し、中狭部２００の以下から下方に行くほど次第に直径が増加される厚肉部３００が形成され、グリップ１００の下端部には切欠部４００が形成されて下狭部５００が備えられた構造となっている。
【００１５】
また、両手の親指と人差し指の把持状態の流動間隔を減らして安定したグリップ１００を可能にすることで、揺れが発生しない安定的かつ正確なスウィングが可能になり、インパクトが揺れによる損失が発生せずにボールに伝達されることができる。
【００１６】
また、本発明において、下狭部５００はその厚さが薄いので、シャフト５０２の上端をシャフト挿入孔５０１に押し込めばよく膨張及び変形されて結合が可能になり、作業性が向上する。
【００１７】
さらに、本発明において、グリップ１００の中狭部２００に上側線１０１と下側線１０２を置き、上部を握る手の親指の底面の中心が上側線１０１または下側線１０２の上に選択的に位置するようにして、グリップ１００の正常の位置を握るか下部を握るようにして、正常的に握ったり短くして握る場合にも標準化したグリップ１００となるようにすることができる。
【００１８】
また、図６ないし図９に示している他の実施例によると、本発明は、グリップ１００の下方を握るようになる下部を握った手の親指と人差し指が直接に当接する位置のみを除き、残りの厚肉部３００を斜線状に全て切開した切欠部４００が形成されるようにすることで、厚肉部３００による重さの増加を最小化することができる。
【００１９】
このような実施例によると、厚肉部３００の切欠部４００による切開面４０１が斜線状になっており、前述した実施例の場合より一層広い切欠部４００が形成されるようにして、グリップ１００の重量を破格的に減少させ、一般のグリップ１００のレベルにすることができるようになる。
【００２０】
さらに、このような実施例において、上端で切欠面が合致線４０２を成すため、ユーザーはこれを直観的に中心線４０３の表示によって認識できるようになるため、使用の便宜が図られる可能性もある。
【００２１】
このような本発明によるグリップ１００の組み立ての状態を、図１０の断面図のように示している。
【００２２】
この図面に示すように、本発明は、グリップ１００の下方の厚肉部３００を握るようになる下部を握った手の親指と人差し指との間隔を最小化することができるので、流動を防止して、インパクトの際にヘッドのスイートスポットが正確にボールを打撃できるようにするので、打撃の角度及び方向などが最適化されるようにすると共に、揺れが発生しないので、インパクトの損失が発生せずに伝達されるようにする。
【００２３】
また、本発明では、親指や人差し指が握るようになる部分を除いた厚肉部３００の他の部分を切開して除去することで、グリップ１００の重量が過重になることによって発生するヘッド感覚の喪失を防止することができると共に、下狭部５００のシャフト挿入孔５０１にシャフト５０２の上端を挿入する場合、容易に開けられるので組み立てが容易になり、作業性が向上される。
【００２４】
以上において、ゴルフクラブ用グリップ１００の下方に親指と人差し指による把持が安定的になるようにすると共に、重量が最適化の範囲内にあるようにするための切欠部４００の形成及び下狭部５００によるシャフト５０２との組み立ての容易性の増進に対する技術思想について添付図面と共に記述したところ、これは本発明の最も好ましい実施例を例示的に説明したものであって、本発明を限定するものではない。
【００２５】
なお、従来公知技術を援用して、本発明の技術思想の範囲を離脱しない範囲内で値数及び形態、並びに構造などの多様な変形が適宜可能である。
【符号の説明】
【００２６】
１００  グリップ
１０１  上側線
１０２  下側線
２００  中狭部
３００  厚肉部
４００  切欠部
４０１  切開面
４０２  合致線
４０３  中心線
５００  下狭部
５０１  シャフト挿入孔
５０２  シャフト
【図１】
2016209537.tif 000003
【図２】
2016209537.tif 000004
【図３】
2016209537.tif 000005
【図４】
2016209537.tif 000006
【図５】
2016209537.tif 000007
【図６】
2016209537.tif 000008
【図７】
2016209537.tif 000009
【図８】
2016209537.tif 000010
【図９】
2016209537.tif 000011
【図１０】
2016209537.tif 000012